(57)【特許請求の範囲】
【請求項１】
制御部を備え、不動産管理、融資業務管理、販売管理または財務管理のデータの入力ができる状態の入力項目を行列形式で複数含む予め生成された第一の画面を表示させる画面制御装置であって、
前記制御部は、
前記第一の画面に含まれている前記入力項目の登録形式を列連続、または、全行の列一括いずれかの形式を指定させる登録形式指定手段と、
前記第一の画面に含まれている前記入力項目のうち入力対象となる前記入力項目を指定させる入力対象入力項目指定手段と、
前記列連続が指定された場合、前記入力対象入力項目指定手段により指定させた前記入力項目に入力された前記データを登録する入力データ登録手段と、
前記入力データ登録手段により登録された前記入力項目の次行の対応する前記入力項目を次の入力対象として選択する次行入力対象選択手段と、
前記全行の列一括が指定された場合、前記入力対象入力項目指定手段により指定させた前記入力項目に入力された前記データを、全ての行の対応する前記入力項目に登録する入力データ全行登録手段と、
を備えたことを特徴とする画面制御装置。
【請求項２】
制御部を備え、不動産管理、融資業務管理、販売管理または財務管理のデータの入力ができる状態の入力項目を行列形式で複数含む予め生成された第一の画面を表示させる画面制御装置であって、
前記制御部は、
前記第一の画面に含まれている前記入力項目の登録形式を列連続、または、複数行の列一括いずれかの形式を指定させる登録形式指定手段と、
前記複数行の列一括が指定された場合、入力対象となる行を指定させる行指定手段と、
前記第一の画面に含まれている前記入力項目のうち入力対象となる前記入力項目を指定させる入力対象入力項目指定手段と、
前記列連続が指定された場合、前記入力対象入力項目指定手段により指定させた前記入力項目に入力された前記データを登録する入力データ登録手段と、
前記入力データ登録手段により登録された前記入力項目の次行の対応する前記入力項目を次の入力対象として選択する次行入力対象選択手段と、
前記入力対象となる行が指定された場合、前記入力対象入力項目指定手段により指定させた前記入力項目に入力された前記データを、前記行指定手段により指定させた前記行の対応する前記入力項目に登録する入力データ指定行登録手段と、
を備えたことを特徴とする画面制御装置。
【請求項３】
制御部を備えた情報処理装置で実行される、不動産管理、融資業務管理、販売管理または財務管理のデータの入力ができる状態の入力項目を行列形式で複数含む予め生成された第一の画面を表示させる画面制御方法であって、
前記制御部で実行される、
前記第一の画面に含まれている前記入力項目の登録形式を列連続、または、全行の列一括いずれかの形式を指定させる登録形式指定ステップと、
前記第一の画面に含まれている前記入力項目のうち入力対象となる前記入力項目を指定させる入力対象入力項目指定ステップと、
前記列連続が指定された場合、前記入力対象入力項目指定ステップにて指定させた前記入力項目に入力された前記データを登録する入力データ登録ステップと、
前記入力データ登録ステップにて登録された前記入力項目の次行の対応する前記入力項目を次の入力対象として選択する次行入力対象選択ステップと、
前記全行の列一括が指定された場合、前記入力対象入力項目指定ステップにて指定させた前記入力項目に入力された前記データを、全ての行の対応する前記入力項目に登録する入力データ全行登録ステップと、
を含むことを特徴とする画面制御方法。
【請求項４】
制御部を備えた情報処理装置で実行される、不動産管理、融資業務管理、販売管理または財務管理のデータの入力ができる状態の入力項目を行列形式で複数含む予め生成された第一の画面を表示させる画面制御方法であって、
前記制御部で実行される、
前記第一の画面に含まれている前記入力項目の登録形式を列連続、または、複数行の列一括いずれかの形式を指定させる登録形式指定ステップと、
前記複数行の列一括が指定された場合、入力対象となる行を指定させる行指定ステップと、
前記第一の画面に含まれている前記入力項目のうち入力対象となる前記入力項目を指定させる入力対象入力項目指定ステップと、
前記列連続が指定された場合、前記入力対象入力項目指定ステップにて指定させた前記入力項目に入力された前記データを登録する入力データ登録ステップと、
前記入力データ登録ステップにて登録された前記入力項目の次行の対応する前記入力項目を次の入力対象として選択する次行入力対象選択ステップと、
前記入力対象となる行が指定された場合、前記入力対象入力項目指定ステップにて指定させた前記入力項目に入力された前記データを、前記行指定ステップにて指定させた前記行の対応する前記入力項目に登録する入力データ指定行登録ステップと、
を含むことを特徴とする画面制御方法。
【請求項５】
制御部を備えた情報処理装置に実行させるための、不動産管理、融資業務管理、販売管理または財務管理のデータの入力ができる状態の入力項目を行列形式で複数含む予め生成された第一の画面を表示させる画面制御プログラムであって、
前記制御部において、
前記第一の画面に含まれている前記入力項目の登録形式を列連続、または、全行の列一括いずれかの形式を指定させる登録形式指定ステップと、
前記第一の画面に含まれている前記入力項目のうち入力対象となる前記入力項目を指定させる入力対象入力項目指定ステップと、
前記列連続が指定された場合、前記入力対象入力項目指定ステップにて指定させた前記入力項目に入力された前記データを登録する入力データ登録ステップと、
前記入力データ登録ステップにて登録された前記入力項目の次行の対応する前記入力項目を次の入力対象として選択する次行入力対象選択ステップと、
前記全行の列一括が指定された場合、前記入力対象入力項目指定ステップにて指定させた前記入力項目に入力された前記データを、全ての行の対応する前記入力項目に登録する入力データ全行登録ステップと、
を実行させるための画面制御プログラム。
【請求項６】
制御部を備えた情報処理装置に実行させるための、不動産管理、融資業務管理、販売管理または財務管理のデータの入力ができる状態の入力項目を行列形式で複数含む予め生成された第一の画面を表示させる画面制御プログラムであって、
前記制御部において、
前記第一の画面に含まれている前記入力項目の登録形式を列連続、または、複数行の列一括いずれかの形式を指定させる登録形式指定ステップと、
前記複数行の列一括が指定された場合、入力対象となる行を指定させる行指定ステップと、
前記第一の画面に含まれている前記入力項目のうち入力対象となる前記入力項目を指定させる入力対象入力項目指定ステップと、
前記列連続が指定された場合、前記入力対象入力項目指定ステップにて指定させた前記入力項目に入力された前記データを登録する入力データ登録ステップと、
前記入力データ登録ステップにて登録された前記入力項目の次行の対応する前記入力項目を次の入力対象として選択する次行入力対象選択ステップと、
前記入力対象となる行が指定された場合、前記入力対象入力項目指定ステップにて指定させた前記入力項目に入力された前記データを、前記行指定ステップにて指定させた前記行の対応する前記入力項目に登録する入力データ指定行登録ステップと、
を実行させるための画面制御プログラム。
【発明の詳細な説明】
【技術分野】
【０００１】
本発明は、画面制御装置、画面制御方法および画面制御プログラムに関する。
【背景技術】
【０００２】
特許文献１には、ＷＷＷ（Ｗｏｒｌｄ  Ｗｉｄｅ  Ｗｅｂ）ブラウザの画面を表示するためのＨＴＭＬ（Ｈｙｐｅｒ  Ｔｅｘｔ  Ｍａｒｋｕｐ  Ｌａｎｇｕａｇｅ）ファイルを画面制御系とコンテンツ系に分類し、画面制御系のＨＴＭＬファイルの内容に対応してＷＷＷブラウザの画面を複数フレームに分割すると共にコンテンツ系のＨＴＭＬファイルの内容に対応した表示を行う技術が開示されている。
【先行技術文献】
【特許文献】
【０００３】
【特許文献１】特開平１０−１７１７５５号公報
【発明の概要】
【発明が解決しようとする課題】
【０００４】
しかしながら、画面に含まれる入力項目が多くなればなるほど、レスポンスが遅くなるという問題点がある。特に、処理性能の低い端末や通信性能の低い回線が使われている環境においては、レスポンスの遅れが顕著に現れる。
【０００５】
例えば、グリッド形式で列の入力をする場合、入力項目が多数行になるとレスポンスが低下するという問題点がある。また、行展開方法により画面構成を明細一覧と入力欄とに分け、登録対象の明細を選択して表示ボタンを押下し、入力項目までカーソルを移動して入力し、登録ボタンを押下し更新するという手順を繰り返して行う場合、レスポンス低下を防ぐため、一覧から各行を呼び出し、項目を選択するという手順を繰り返すことになる。しかしながら、当該手順においては、操作性の向上について吟味していないという問題点がある。
【０００６】
本発明は、上記に鑑みてなされたものであって、画面に含まれる入力項目が多い場合に生じるレスポンスの遅れを、操作性（使い勝手）を維持したまま防ぐことができる画面制御装置、画面制御方法および画面制御プログラムを提供することを目的とする。
【課題を解決するための手段】
【０００７】
上述した課題を解決し、目的を達成するために、本発明にかかる画面制御装置は、制御部を備え、データの入力ができる状態の入力項目を行列形式で複数含む予め生成された第一の画面を表示させる画面制御装置であって、前記制御部は、前記第一の画面に含まれている前記入力項目のうち入力対象となる前記入力項目を指定させる入力対象入力項目指定手段と、前記入力対象入力項目指定手段により指定させた前記入力項目に入力された前記データを登録する入力データ登録手段と、前記入力データ登録手段により登録された前記入力項目の次行の対応する前記入力項目を次の入力対象として選択する次行入力対象選択手段と、を備えたことを特徴とする。
【０００８】
また、本発明にかかる画面制御装置は、制御部を備え、データの入力ができる状態の入力項目を行列形式で複数含む予め生成された第一の画面を表示させる画面制御装置であって、前記制御部は、前記第一の画面に含まれている前記入力項目のうち入力対象となる前記入力項目を指定させる入力対象入力項目指定手段と、前記入力対象入力項目指定手段により指定させた前記入力項目に入力された前記データを、全ての行の対応する前記入力項目に登録する入力データ全行登録手段と、を備えたことを特徴とする。
【０００９】
また、本発明にかかる画面制御装置は、制御部を備え、データの入力ができる状態の入力項目を行列形式で複数含む予め生成された第一の画面を表示させる画面制御装置であって、前記制御部は、入力対象となる行を指定させる行指定手段と、前記第一の画面に含まれている前記入力項目のうち入力対象となる前記入力項目を指定させる入力対象入力項目指定手段と、前記入力対象入力項目指定手段により指定させた前記入力項目に入力された前記データを、前記行指定手段により指定させた行の対応する前記入力項目に登録する入力データ指定行登録手段と、を備えたことを特徴とする。
【００１０】
また、本発明にかかる画面制御方法は、制御部を備えた情報処理装置で実行される、データの入力ができる状態の入力項目を行列形式で複数含む予め生成された第一の画面を表示させる画面制御方法であって、前記制御部で実行される、前記第一の画面に含まれている前記入力項目のうち入力対象となる前記入力項目を指定させる入力対象入力項目指定ステップと、前記入力対象入力項目指定ステップにて指定させた前記入力項目に入力された前記データを登録する入力データ登録ステップと、前記入力データ登録ステップにて登録された前記入力項目の次行の対応する前記入力項目を次の入力対象として選択する次行入力対象選択ステップと、を含むことを特徴とする。
【００１１】
また、本発明にかかる画面制御方法は、制御部を備えた情報処理装置で実行される、データの入力ができる状態の入力項目を行列形式で複数含む予め生成された第一の画面を表示させる画面制御方法であって、前記制御部で実行される、前記第一の画面に含まれている前記入力項目のうち入力対象となる前記入力項目を指定させる入力対象入力項目指定ステップと、前記入力対象入力項目指定ステップにて指定させた前記入力項目に入力された前記データを、全ての行の対応する前記入力項目に登録する入力データ全行登録ステップと、を含むことを特徴とする。
【００１２】
また、本発明にかかる画面制御方法は、制御部を備えた情報処理装置で実行される、データの入力ができる状態の入力項目を行列形式で複数含む予め生成された第一の画面を表示させる画面制御方法であって、前記制御部で実行される、入力対象となる行を指定させる行指定ステップと、前記第一の画面に含まれている前記入力項目のうち入力対象となる前記入力項目を指定させる入力対象入力項目指定ステップと、前記入力対象入力項目指定ステップにて指定させた前記入力項目に入力された前記データを、前記行指定ステップにて指定させた行の対応する前記入力項目に登録する入力データ指定行登録ステップと、を含むことを特徴とする。
【００１３】
また、本発明にかかる画面制御プログラムは、制御部を備えた情報処理装置に実行させるための、データの入力ができる状態の入力項目を行列形式で複数含む予め生成された第一の画面を表示させる画面制御プログラムであって、前記制御部において、前記第一の画面に含まれている前記入力項目のうち入力対象となる前記入力項目を指定させる入力対象入力項目指定ステップと、前記入力対象入力項目指定ステップにて指定させた前記入力項目に入力された前記データを登録する入力データ登録ステップと、前記入力データ登録ステップにて登録された前記入力項目の次行の対応する前記入力項目を次の入力対象として選択する次行入力対象選択ステップと、を実行させることを特徴とする。
【００１４】
また、本発明にかかる画面制御プログラムは、制御部を備えた情報処理装置に実行させるための、データの入力ができる状態の入力項目を行列形式で複数含む予め生成された第一の画面を表示させる画面制御プログラムであって、前記制御部において、前記第一の画面に含まれている前記入力項目のうち入力対象となる前記入力項目を指定させる入力対象入力項目指定ステップと、前記入力対象入力項目指定ステップにて指定させた前記入力項目に入力された前記データを、全ての行の対応する前記入力項目に登録する入力データ全行登録ステップと、を実行させることを特徴とする。
【００１５】
また、本発明にかかる画面制御プログラムは、制御部を備えた情報処理装置に実行させるための、データの入力ができる状態の入力項目を行列形式で複数含む予め生成された第一の画面を表示させる画面制御プログラムであって、前記制御部において、入力対象となる行を指定させる行指定ステップと、前記第一の画面に含まれている前記入力項目のうち入力対象となる前記入力項目を指定させる入力対象入力項目指定ステップと、前記入力対象入力項目指定ステップにて指定させた前記入力項目に入力された前記データを、前記行指定ステップにて指定させた行の対応する前記入力項目に登録する入力データ指定行登録ステップと、を実行させることを特徴とする。
【発明の効果】
【００１６】
本発明によれば、（１）第一の画面に含まれている入力項目のうち入力対象となる入力項目を指定させ、（２）指定させた入力項目に入力されたデータを登録し、（３）登録された入力項目の次行の対応する入力項目を次の入力対象として選択する。これにより、画面に含まれる行数可変の表形式の列への列情報の入力において、生じるレスポンスの遅れを、操作性（使い勝手）を維持したまま防ぐことができ、一行ごとに列情報の連続登録をすることができるという効果を奏する。
【００１７】
また、本発明によれば、（１）第一の画面に含まれている入力項目のうち入力対象となる入力項目を指定させ、（２）指定させた入力項目に入力されたデータを、全ての行の対応する入力項目に登録する。これにより、画面に含まれる行数可変の表形式の列への列情報の入力において、生じるレスポンスの遅れを、操作性（使い勝手）を維持したまま防ぐことができ、全行に対して列情報の一括登録をすることができるという効果を奏する。
【００１８】
また、本発明によれば、（１）入力対象となる行を指定させ、（２）第一の画面に含まれている入力項目のうち入力対象となる入力項目を指定させ、（３）指定させた入力項目に入力されたデータを、指定させた行の対応する入力項目に登録する。これにより、画面に含まれる行数可変の表形式の列への列情報の入力において、生じるレスポンスの遅れを、操作性（使い勝手）を維持したまま防ぐことができ、複数行に対して列情報の一括登録をすることができるという効果を奏する。
【００１９】
また、本発明によれば、第一の画面はＷｅｂ画面であるので、通信性能の低い回線（例えばアナログ回線など）が使われている環境においても、画面に含まれる入力項目が多い場合に生じるレスポンスの遅れを、操作性（使い勝手）を維持したまま防ぐことができるという効果を奏する。
【図面の簡単な説明】
【００２０】
【図１】図１は、業務管理装置１００の構成の一例を示すブロック図である。
【図２】図２は、業務管理装置１００で実行される処理の一例を示すフローチャートである。
【図３】図３は、登録画面の一例を示す図である。
【図４】図４は、登録画面の一例を示す図である。
【図５】図５は、登録画面の一例を示す図である。
【発明を実施するための形態】
【００２１】
本発明にかかる画面制御装置、画面制御方法および画面制御プログラムの実施形態を、図面に基づいて詳細に説明する。なお、本発明は、この実施形態により限定されるものではない。
【００２２】
［１．構成］
本発明を包含する本実施形態にかかる業務管理システムの構成の一例について、図１を参照して説明する。業務管理システムは、業務管理装置１００と情報処理装置２００とネットワーク３００とで構成される。業務管理装置１００は、業務管理（例えば不動産管理（例えば不動産担保評価管理など）、融資業務管理、販売管理、財務管理など）を支援するアプリケーション（例えばＷｅｂアプリケーションなど）がインストールされている情報処理装置（例えばＷｅｂサーバなど）である。
【００２３】
業務管理装置１００は、ネットワーク３００（例えばインターネット、イントラネット、ＬＡＮ（Ｌｏｃａｌ  Ａｒｅａ  Ｎｅｔｗｏｒｋ）など）を介して、業務管理を支援するアプリケーションがインストールされている据置型または携帯型の情報処理装置２００（例えば、デスクトップ型のパーソナルコンピュータ、ノート型のパーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型のパーソナルコンピュータなど）と通信可能に接続されている。ネットワーク３００は、例えば、狭帯域回線または広帯域回線を利用したネットワークなどである。
【００２４】
業務管理装置１００は、制御部１０２と通信インターフェース部１０４と記憶部１０６と入出力インターフェース部１０８と、を備える。業務管理装置１００が備える各部は、任意の通信路を介して通信可能に接続されている。
【００２５】
通信インターフェース部１０４は、ルータ等の通信装置および専用線等の有線または無線の通信回線（例えば狭帯域回線または広帯域回線など）を介して、業務管理装置１００をネットワーク３００に通信可能に接続する。通信インターフェース部１０４は、他の装置と通信回線を介してデータを通信する機能を有する。
【００２６】
入出力インターフェース部１０８には、入力装置１１２および出力装置１１４が接続されている。出力装置１１４には、モニタ（家庭用テレビを含む）の他、スピーカやプリンタを用いることができる。入力装置１１２には、キーボード、マウスおよびマイクの他、マウスと協働してポインティングデバイス機能を実現するモニタを用いることができる。なお、以下では、出力装置１１４をモニタ１１４とし、入力装置１１２をキーボード１１２またはマウス１１２として記載する場合がある。
【００２７】
記憶部１０６には、各種のデータベース、テーブルおよびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスクおよび光ディスク等を用いることができる。記憶部１０６は、画面データ記憶部１０６ａを含む。
【００２８】
画面データ記憶部１０６ａは、本発明の第一の画面に相当する予め生成されたメイン画面（例えばＷｅｂ画面など）に関するメイン画面データを格納する。なお、メイン画面は、データ（例えば、数字、文字または記号など）の入力ができる状態の複数の入力項目（例えばテキストボックスなど）と、データの登録を選択させるための登録選択領域（例えば、ユーザが入力装置１１２を操作して選択可能なボタンなど）とを少なくとも含むものである。
【００２９】
ここで、メイン画面は、入力項目を行列形式で複数含み、入力項目の各々の行および／または列に関連するデータを表示するための表示領域を含むものでもよい。なお、表示領域に表示されるデータは、制御部１０２がメイン画面データと関連付けて記憶部１０６に格納しておいたものでもよい。
【００３０】
制御部１０２は、業務管理装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。制御部１０２は、機能概念的に、登録形式指定部１０２ａと行指定部１０２ｂと入力対象入力項目指定部１０２ｃと入力データ登録部１０２ｄと次行入力対象選択部１０２ｅと入力データ全行登録部１０２ｆと入力データ指定行登録部１０２ｇとを含む。
【００３１】
登録形式指定部１０２ａは、第一の画面に含まれている入力項目の登録形式を指定させる。なお、登録形式は、列連続、全行の列一括、または、複数行の列一括等であってもよい。また、登録形式指定部１０２ａは、第一の画面をモニタ１１４または情報処理装置２００のモニタ２１４に表示させてもよい。なお、登録形式指定部１０２ａは、第一の画面を情報処理装置２００に転送してもよい。
【００３２】
行指定部１０２ｂは、入力対象となる行を指定させる。
【００３３】
入力対象入力項目指定部１０２ｃは、第一の画面に含まれている入力項目のうち入力対象となる入力項目を指定させる。
【００３４】
入力データ登録部１０２ｄは、入力対象入力項目指定部１０２ｃにより指定させた入力項目に入力されたデータを登録する。
【００３５】
次行入力対象選択部１０２ｅは、入力データ登録部１０２ｄにより登録された入力項目の次行の対応する入力項目を次の入力対象として選択する。
【００３６】
入力データ全行登録部１０２ｆは、入力対象入力項目指定部１０２ｃにより指定させた入力項目に入力されたデータを、全ての行の対応する入力項目に登録する。
【００３７】
入力データ指定行登録部１０２ｇは、入力対象入力項目指定部１０２ｃにより指定させた入力項目に入力されたデータを、行指定部１０２ｂにより指定させた行の対応する入力項目に登録する。
【００３８】
情報処理装置２００は、制御部２０２と通信インターフェース部２０４と記憶部２０６と入出力インターフェース部２０８と、を備える。情報処理装置２００が備える各部は、任意の通信路を介して通信可能に接続されている。
【００３９】
通信インターフェース部２０４は、ルータ等の通信装置および専用線等の有線または無線の通信回線（例えば狭帯域回線または広帯域回線など）を介して、情報処理装置２００をネットワーク３００に通信可能に接続する。通信インターフェース部２０４は、他の装置と通信回線を介してデータを通信する機能を有する。
【００４０】
入出力インターフェース部２０８には、入力装置２１２および出力装置２１４が接続されている。出力装置２１４には、モニタ（家庭用テレビを含む）の他、スピーカやプリンタを用いることができる。入力装置２１２には、キーボード、マウスおよびマイクの他、マウスと協働してポインティングデバイス機能を実現するモニタを用いることができる。なお、以下では、出力装置２１４をモニタ２１４とし、入力装置２１２をキーボード２１２またはマウス２１２として記載する場合がある。
【００４１】
記憶部２０６には、各種のデータベース、テーブルおよびファイルなどが格納される。記憶部２０６には、ＯＳと協働してＣＰＵに命令を与えて各種処理を行うためのコンピュータプログラムが記録される。記憶部２０６として、例えば、ＲＡＭ・ＲＯＭ等のメモリ装置、ハードディスクのような固定ディスク装置、フレキシブルディスクおよび光ディスク等を用いることができる。記憶部２０６は、画面データ記憶部２０６ａを含む。
【００４２】
画面データ記憶部２０６ａは、業務管理装置１００から転送されたメイン画面データを格納する。
【００４３】
制御部２０２は、情報処理装置２００を統括的に制御するＣＰＵ等である。制御部２０２は、ＯＳ等の制御プログラム・各種の処理手順等を規定したプログラム・所要データなどを格納するための内部メモリを有し、格納されているこれらのプログラムに基づいて種々の情報処理を実行する。制御部２０２は、機能概念的に、表示実行部２０２ａと指示転送部２０２ｂとを含む。
【００４４】
表示実行部２０２ａは、業務管理装置１００から転送されたメイン画面データを受信し、受信したメイン画面データに基づいてメイン画面をモニタ２１４に表示させる。指示転送部２０２ｂは、メイン画面を介して行なわれたユーザからの指示の内容に関する情報を業務管理装置１００に転送する。
【００４５】
［２．処理］
上述した構成の業務管理システムで実行される処理の一例について、図２から５を参照して説明する。図２は、業務管理システムで実行される処理の一例を示すフローチャートである。
【００４６】
ここで、本説明では、不動産担保評価管理を支援するＷｅｂアプリケーション（不動産担保評価管理アプリ）が業務管理装置１００および情報処理装置２００に予めインストールされていることを前提とする。また、本説明では、画面データ記憶部１０６ａには、不動産担保評価管理アプリで提供されるオリジナル（初期設定）の物件明細入力画面（Ｗｅｂ画面）に関する物件明細入力画面データ（物件明細入力画面に表示させるデータを含む）が予め格納されていることを前提とする。なお、オリジナルの物件明細入力画面は、物件明細修正入力の作業目的に応じた画面であり、物件明細修正入力の作業目的に応じた修正可能モードで起動される画面である。オリジナルの物件明細入力画面は、物件に関する数値、および、物件に関するデータに対応付けられた数字を入力ができる状態のテキストボックスを行列形式で複数含み、またテキストボックスの各々の行および列に関連するデータを表示するための表示領域と数値の登録を選択させるための登録ボタンとを含む画面である。ここで、テキストボックスに入力される情報として、物件に関する数値、および、物件に関するデータに対応付けられた数字を一例として挙げたが、テキストボックスに入力される情報はこれに限らず例えば文字または記号など何でもよい。
【００４７】
まず、登録形式指定部１０２ａは、画面データ記憶部１０６ａに予め格納されている物件明細入力画面データを情報処理装置２００に転送し、表示実行部２０２ａは、転送された物件明細入力画面データに基づいて、物件明細入力画面をモニタ２１４に表示させ、当該物件明細入力画面に含まれている入力項目の登録形式（具体的には、列連続、全行の列一括、または、複数行の列一括）を選択させるチェックボックスに対して、ユーザにマウス２１２を操作して指定させる（ステップＳＡ１）。
【００４８】
なお、以下の説明は、図３に示す物件明細入力画面ＭＡ、図４に示す物件明細入力画面ＭＢ、または、図５に示す物件明細入力画面ＭＣがモニタ２１４に表示されていることを前提とする。
【００４９】
ステップＳＡ２でユーザにより列連続の登録形式に対応するチェックボックスＭＡ１が指定された場合（ステップＳＡ２：Ｙｅｓ）には、入力対象入力項目指定部１０２ｃは、物件明細入力画面に含まれている入力項目（具体的には、数値項目（項目１）、日付項目（項目２）、および、文字項目（項目３））のうち入力対象となる入力項目に対応するテキストボックスＭＡ２に数値（例えば物件に関する数値等）、日付、および、文字項目（例えば、物件に関するデータに対応付けられた数字等）を、ユーザにマウス２１２およびキーボード２１２を操作して指定させる（ステップＳＡ３）。ここで、物件明細入力画面の一例を、図３を参照して説明する。物件明細入力画面ＭＡは、主に、入力項目の列連続の登録形式を選択させるチェックボックスＭＡ１と、物件に関する数値項目（例えば、符号、登記面積、地上、または、地下等）、日付項目、および、物件に関する文字項目（例えば、構造、または、屋根等）に対応付けられた数字を入力するための入力項目に対応したテキストボックスＭＡ２と、登録ボタンＭＡ３と、物件に関するデータを表示するための表示領域ＭＡ４とを含む。表示領域ＭＡ４は、どの列が入力対象として選択されているかを明示するラジオボタンＭＡ５を含む。なお、ラジオボタンＭＡ５の選択は、ユーザにより行われてもよく、自動的に行われてもよい。
【００５０】
ユーザは、物件明細入力画面ＭＡのテキストボックスＭＡ２に反映された数値、日付、または、数字を確認し、テキストボックスＭＡ２に表示されている数値、日付、または、数字を登録したい場合にはマウス２１２を操作して登録ボタンＭＡ３を押下する。
【００５１】
ユーザにより登録ボタンＭＡ３が押下された場合（ステップＳＡ４：Ｙｅｓ）には、指示転送部２０２ｂは、物件明細入力画面ＭＡのテキストボックスＭＡ２に表示されている数値、日付、または、数字を業務管理装置１００に転送し、入力データ登録部１０２ｄは、転送された数値、日付、または、数字を記憶部１０６に登録する（ステップＳＡ５）。
【００５２】
つぎに、ステップＳＡ６で制御部１０２により必要な登録が全て完了したと判定された場合（ステップＳＡ６：Ｙｅｓ）には、処理を終了する。なお、必要な登録とは、ユーザにより設定された行に対するデータの登録、または、全ての行に対するデータの登録などであってもよい。
【００５３】
一方、ステップＳＡ６で制御部１０２により必要な登録が全て完了していないと判定された場合（ステップＳＡ６：Ｎｏ）には、次行入力対象選択部１０２ｅは、ステップＳＡ５で入力データ登録部１０２ｄにより登録された入力項目の次行の対応する入力項目を次の入力対象として選択し、処理をステップＳＡ３に移行させる。
【００５４】
一方、ステップＳＡ２でユーザにより列連続の登録形式に対応するチェックボックスＭＡ１が指定されていない場合（ステップＳＡ２：Ｎｏ）、且つ、ステップＳＡ８でユーザにより全行の列一括の登録形式に対応するチェックボックスＭＢ１が指定された場合（ステップＳＡ８：Ｙｅｓ）には、入力対象入力項目指定部１０２ｃは、物件明細入力画面に含まれている入力項目のうち入力対象となる入力項目に対応するテキストボックスＭＢ２に数値（例えば、物件に関する数値等）、日付、および、文字項目（例えば、物件に関するデータに対応付けられた数字等）を、ユーザにマウス２１２およびキーボード２１２を操作して指定させる（ステップＳＡ９）。ここで、物件明細入力画面の一例を、図４を参照して説明する。物件明細入力画面ＭＢは、主に、入力項目の全行の列一括の登録形式を選択させるチェックボックスＭＢ１と、物件に関する数値項目、日付項目、および、物件に関する文字項目に対応付けられた数字を入力するための入力項目に対応したテキストボックスＭＢ２と、登録ボタンＭＢ３と、物件に関するデータを表示するための表示領域ＭＢ４とを含む。表示領域ＭＢ４は、どの列が入力対象として選択されているかを明示するラジオボタンＭＢ５を含む。なお、ラジオボタンＭＢ５の選択は、ユーザにより行われてもよく、自動的に行われてもよい。
【００５５】
ユーザは、物件明細入力画面ＭＢのテキストボックスＭＢ２に反映された数値、日付、または、数字を確認し、テキストボックスＭＢ２に表示されている数値、日付、または、数字を登録したい場合にはマウス２１２を操作して登録ボタンＭＢ３を押下する。
【００５６】
ユーザにより登録ボタンＭＢ３が押下された場合（ステップＳＡ１０：Ｙｅｓ）には、指示転送部２０２ｂは、物件明細入力画面ＭＢのテキストボックスＭＢ２に表示されている数値、日付、または、数字を業務管理装置１００に転送し、入力データ全行登録部１０２ｆは、記憶部１０６において、転送された数値、日付、または、数字を、全ての行の対応する入力項目に登録し（ステップＳＡ１１）、処理を終了する。
【００５７】
一方、ステップＳＡ２でユーザにより列連続の登録形式に対応するチェックボックスＭＡ１が指定されていない場合（ステップＳＡ２：Ｎｏ）、且つ、ステップＳＡ８でユーザにより複数行の列一括の登録形式に対応するチェックボックスＭＣ１が指定された場合（ステップＳＡ８：Ｎｏ）には、行指定部１０２ｂは、入力対象となる行を指定するテキストボックスＭＣ６に行数を示す数値を、ユーザにマウス２１２およびキーボード２１２を操作して指定させる（ステップＳＡ１２）。ここで、物件明細入力画面の一例を、図５を参照して説明する。物件明細入力画面ＭＣは、主に、入力項目の複数行の列一括の登録形式を選択させるチェックボックスＭＣ１と、物件に関する数値項目、日付項目、および、物件に関する文字項目に対応付けられた数字を入力するための入力項目に対応したテキストボックスＭＣ２と、登録ボタンＭＣ３と、物件に関するデータを表示するための表示領域ＭＣ４と、入力対象となる行を指定するテキストボックスＭＣ６とを含む。表示領域ＭＣ４は、どの列が入力対象として選択されているかを明示するラジオボタンＭＣ５を含む。なお、ラジオボタンＭＣ５の選択は、ユーザにより行われてもよく、自動的に行われてもよい。
【００５８】
つぎに、入力対象入力項目指定部１０２ｃは、物件明細入力画面に含まれている入力項目のうち入力対象となる入力項目に対応するテキストボックスＭＣ２に物件に関する数値項目、日付項目、および、物件に関する文字項目に対応付けられた数字を、ユーザにマウス２１２およびキーボード２１２を操作して指定させる（ステップＳＡ１３）。
【００５９】
ユーザは、物件明細入力画面ＭＣのテキストボックスＭＣ２に反映された数値、日付、または、数字を確認し、テキストボックスＭＣ２に表示されている数値、日付、または、数字を登録したい場合にはマウス２１２を操作して登録ボタンＭＣ３を押下する。
【００６０】
ユーザにより登録ボタンＭＣ３が押下された場合（ステップＳＡ１４：Ｙｅｓ）には、指示転送部２０２ｂは、物件明細入力画面ＭＣのテキストボックスＭＣ２に表示されている数値、日付、または、数字を業務管理装置１００に転送し、入力データ指定行登録部１０２ｇは、記憶部１０６において、転送された数値、日付、または、数字を、行指定部１０２ｂにより指定させた行の対応する入力項目に登録し（ステップＳＡ１５）、処理を終了する。
【００６１】
以上、業務管理装置１００で実行される処理の一例を終了する。ここで、物件明細入力画面は、物件明細修正入力の作業目的以外に、物件明細新規入力、および、物件明細確認目的にも応じたものである。なお、作業目的が物件明細新規入力である場合には、物件明細入力画面は新規登録モードで起動される。また、作業目的が物件明細確認である場合には、物件明細入力画面は参照専用モードで起動される。
【００６２】
［本実施形態のまとめ、および他の実施形態］
以上、本実施形態によれば、（１）業務管理装置１００が、物件明細入力画面データを情報処理装置２００に転送し、転送された物件明細入力画面データに基づいて、物件明細入力画面をモニタ２１４に表示させ、当該物件明細入力画面に含まれている入力項目の登録形式を選択させるチェックボックスに対して、ユーザにマウス２１２を操作して指定させ、（２）業務管理装置１００が、ユーザにより列連続の登録形式に対応するチェックボックスＭＡ１が指定された場合には、物件明細入力画面に含まれている入力項目のうち入力対象となる入力項目に対応するテキストボックスＭＡ２に物件に関する数値、または、物件に関するデータに対応付けられた数字を、ユーザにマウス２１２およびキーボード２１２を操作して指定させ、（３）情報処理装置２００が、ユーザにより登録ボタンＭＡ３が押下された場合には、物件明細入力画面のテキストボックスＭＡ２に表示されている数値、日付、または、数字を業務管理装置１００に転送し、業務管理装置１００が、転送された数値、日付、または、数字を登録し、（４）業務管理装置１００が、必要な登録が全て完了していないと判定された場合には、登録された入力項目の次行の対応する入力項目を次の入力対象として選択する。これにより、画面に含まれる行数可変の表形式の列への列情報の入力において、生じるレスポンスの遅れを、操作性（使い勝手）を維持したまま防ぐことができ、一行ごとに列情報の連続登録をすることができる。
【００６３】
また、本実施形態によれば、（１）業務管理装置１００が、物件明細入力画面データを情報処理装置２００に転送し、転送された物件明細入力画面データに基づいて、物件明細入力画面をモニタ２１４に表示させ、当該物件明細入力画面に含まれている入力項目の登録形式を選択させるチェックボックスに対して、ユーザにマウス２１２を操作して指定させ、（２）業務管理装置１００が、ユーザにより全行の列一括の登録形式に対応するチェックボックスＭＢ１が指定された場合、物件明細入力画面に含まれている入力項目のうち入力対象となる入力項目に対応するテキストボックスＭＢ２に物件に関する数値、または、物件に関するデータに対応付けられた数字を、ユーザにマウス２１２およびキーボード２１２を操作して指定させ、（３）情報処理装置２００が、ユーザにより登録ボタンＭＢ３が押下された場合には、物件明細入力画面ＭＢのテキストボックスＭＢ２に表示されている数値、日付、または、数字を業務管理装置１００に転送し、業務管理装置１００が、転送された数値、日付、または、数字を、全ての行の対応する入力項目に登録する。これにより、画面に含まれる行数可変の表形式の列への列情報の入力において、生じるレスポンスの遅れを、操作性（使い勝手）を維持したまま防ぐことができ、全行に対して列情報の一括登録をすることができる。
【００６４】
また、本実施形態によれば、（１）業務管理装置１００が、物件明細入力画面データを情報処理装置２００に転送し、転送された物件明細入力画面データに基づいて、物件明細入力画面をモニタ２１４に表示させ、当該物件明細入力画面に含まれている入力項目の登録形式を選択させるチェックボックスに対して、ユーザにマウス２１２を操作して指定させ、（２）業務管理装置１００が、ユーザにより複数行の列一括の登録形式に対応するチェックボックスＭＣ１が指定された場合には、入力対象となる行を指定するテキストボックスＭＣ６に行数を示す数値を、ユーザにマウス２１２およびキーボード２１２を操作して指定させ、（３）業務管理装置１００が、物件明細入力画面に含まれている入力項目のうち入力対象となる入力項目に対応するテキストボックスＭＣ２に物件に関する数値、または、物件に関するデータに対応付けられた数字を、ユーザにマウス２１２およびキーボード２１２を操作して指定させ、（４）情報処理装置２００が、ユーザにより登録ボタンＭＣ３が押下された場合には、物件明細入力画面ＭＣのテキストボックスＭＣ２に表示されている数値、日付、または、数字を業務管理装置１００に転送し、業務管理装置１００が、転送された数値、日付、または、数字を、指定させた行の対応する入力項目に登録する。これにより、画面に含まれる行数可変の表形式の列への列情報の入力において、生じるレスポンスの遅れを、操作性（使い勝手）を維持したまま防ぐことができ、複数行に対して列情報の一括登録をすることができる。
【００６５】
また、これまで本発明の実施形態について説明したが、本発明は、上述した実施形態以外にも、特許請求の範囲に記載した技術的思想の範囲内において種々の異なる実施形態にて実施されてよいものである。
【００６６】
例えば、上述した実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００６７】
このほか、上記文献中や図面中で示した処理手順、制御手順、具体的名称、各処理の登録データや検索条件等のパラメータを含む情報、画面例、データベース構成については、特記する場合を除いて任意に変更することができる。
【００６８】
また、業務管理装置１００および情報処理装置２００に関して、図示の各構成要素は機能概念的なものであり、必ずしも物理的に図示の如く構成されていることを要しない。
【００６９】
例えば、業務管理装置１００および情報処理装置２００が備える処理機能、特に制御部１０２および制御部２０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、情報処理装置に本発明にかかる画面制御方法を実行させるためのプログラム化された命令を含む一時的でないコンピュータ読み取り可能な記録媒体に記録されており、必要に応じて業務管理装置１００および情報処理装置２００に機械的に読み取られる。すなわち、ＲＯＭまたはＨＤＤ（Ｈａｒｄ  Ｄｉｓｋ  Ｄｒｉｖｅ）などの記憶部１０６および記憶部２０６などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００７０】
また、このコンピュータプログラムは、業務管理装置１００および情報処理装置２００に対して任意のネットワークを介して接続されたアプリケーションプログラムサーバに記憶されていてもよく、必要に応じてその全部または一部をダウンロードすることも可能である。
【００７１】
また、本発明にかかる画面制御プログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ  Ｄｉｓｃ等の任意の「可搬用の物理媒体」を含むものとする。
【００７２】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。
【００７３】
記憶部１０６および記憶部２０６に格納される各種のデータベース等（画面データ記憶部１０６ａ、および、画面データ記憶部２０６ａ）は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００７４】
また、業務管理装置１００および情報処理装置２００は、既知のパーソナルコンピュータまたはワークステーション等の情報処理装置として構成してもよく、また、任意の周辺装置が接続された当該情報処理装置として構成してもよい。また、業務管理装置１００および情報処理装置２００は、当該情報処理装置に本発明の画面制御方法を実現させるソフトウェア（プログラムまたはデータ等を含む）を実装することにより実現してもよい。
【００７５】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【符号の説明】
【００７６】
１００  業務管理装置
１０２  制御部
１０２ａ  登録形式指定部
１０２ｂ  行指定部
１０２ｃ  入力対象入力項目指定部
１０２ｄ  入力データ登録部
１０２ｅ  次行入力対象選択部
１０２ｆ  入力データ全行登録部
１０２ｇ  入力データ指定行登録部
１０４  通信インターフェース部
１０６  記憶部
１０６ａ  画面データ記憶部
１０８  入出力インターフェース部
１１２  入力装置
１１４  出力装置
２００  情報処理装置
２０２  制御部
２０２ａ  表示実行部
２０２ｂ  指示転送部
２０４  通信インターフェース部
２０６  記憶部
２０６ａ  画面データ記憶部
２０８  入出力インターフェース部
２１２  入力装置
２１４  出力装置
３００  ネットワーク
【図１】
0006016468.tif 000002
【図２】
0006016468.tif 000003
【図３】
0006016468.tif 000004
【図４】
0006016468.tif 000005
【図５】
0006016468.tif 000006